(57)【要約】  本発明は、防犯や警戒などの分野で発生する不特定且つ多様な音を広い領域で損失なくマイクを用いて収集する装置及び方法に関するものであって、音を単数のマイクで収集する装置及び方法、そして、音を複数のマイクで収集する装置及び方法に対する手段を提供する。
2020517204.tif 000002
【特許請求の範囲】
【請求項１】
周辺で収集した音を増幅段に伝達する単数のマイク；
前記マイクから伝達された前記音を複数の増幅率で増幅し、生成された複数の音である各増幅音を選択部に伝達する増幅段；
前記増幅段から伝達された前記各増幅音を増幅音別に区分してメモリ部に格納しながら前記各増幅音のそれぞれの振幅を判断し、選択された一つの増幅音に対する情報を制御信号に含めて制御部に伝達する選択部；
前記選択部から伝達された前記各増幅音を増幅音別に区分して格納するメモリ部；及び
前記選択部から伝達された前記制御信号に含まれた前記情報に対応する前記増幅音を前記メモリ部から探して制御する制御部；を含み、
単数のマイクで収集された一つの音を複数の増幅率で複数の音である各増幅音に増幅した後、増幅音別に区別して格納しながら各増幅音のそれぞれの振幅を判断し、選択された一つの増幅音の情報に対応する増幅音を制御することによって音を広い領域で損失なく収集することを特徴とする音の収集装置。
【請求項２】
ａ）単数のマイクが収集した音を増幅段に伝達する段階；
ｂ）前記増幅段が前記音を複数の増幅率で増幅し、生成した複数の音である各増幅音を選択部に伝達する段階；
ｃ）前記選択部が前記各増幅音を増幅音別に区別してメモリ部に格納しながら前記各増幅音のそれぞれの振幅を判断し、選択された一つの増幅音に対する情報を制御信号に含めて制御部に伝達する段階；及び
ｄ）前記制御部が前記制御信号に含まれた前記情報に対応する前記増幅音を前記メモリ部から探して制御する段階；を含み、
単数のマイクで収集された一つの音を複数の増幅率で複数の音である各増幅音に増幅した後、増幅音別に区別して格納しながら各増幅音のそれぞれの振幅を判断し、選択された一つの増幅音の情報に対応する増幅音を制御することによって音を広い領域で損失なく収集することを特徴とする音の収集方法。
【請求項３】
周辺で収集した音を複数の増幅段に１対１に対応して伝達する複数のマイク；
前記各マイクから１対１に対応して伝達された前記音をそれぞれ複数の増幅率で増幅し、生成した複数の音である各増幅音を１対１に対応する複数の選択部に伝達する複数の増幅段；
前記各増幅段から１対１に対応して伝達された前記各増幅音を増幅音別に区分してメモリ部に格納しながら前記各増幅音のそれぞれの振幅を判断し、前記各マイクの数だけ選択された複数の増幅音に対する各情報を１対１に対応する複数の制御信号に含めて制御部に伝達する複数の選択部；
前記各選択部から伝達された前記各増幅音を前記増幅音別に区分して格納する一つのメモリ部；及び
前記各選択部から伝達された前記各制御信号に含まれた前記各情報に１対１に対応する前記各増幅音を前記メモリ部から探して制御する一つの制御部；を含み、
複数のマイクで収集されたそれぞれの音を複数の増幅率で複数の増幅音に増幅した後、全ての増幅音を増幅音別に区別して格納しながらそれぞれの増幅音の振幅を判断し、選択されたそれぞれの増幅音に対する情報に対応する増幅音を制御することによって音を広い領域で損失なく収集することを特徴とする音の収集装置。
【請求項４】
ａ）複数のマイクが収集したそれぞれの音を１対１に対応する複数の増幅段に伝達する段階；
ｂ）前記各増幅段が１対１に伝達されたそれぞれの前記音をそれぞれの複数の増幅率で増幅し、生成した音であるそれぞれの複数の増幅音を１対１に対応する複数の選択部に伝達する段階；
ｃ）前記各選択部がそれぞれの前記各増幅音を増幅音別に区分して一つのメモリ部に格納しながらそれぞれの前記各増幅音の各振幅を判断し、選択されたそれぞれの増幅音の情報を１対１に対応するそれぞれの制御信号に含めて一つの制御部に伝達する段階；及び
ｄ）前記制御部が前記メモリ部から前記各制御信号が含んでいる前記情報に対応するそれぞれの前記増幅音を探して制御する段階；を含み、
複数のマイクで収集されたそれぞれの音を複数の増幅率で複数の増幅音に増幅した後、全ての増幅音を増幅音別に区別して格納しながらそれぞれの増幅音の振幅を判断し、選択されたそれぞれの増幅音に対する情報に対応する増幅音を制御することによって音を広い領域で損失なく収集することを特徴とする音の収集方法。
【請求項５】
周辺で収集した音を増幅段及び固定増幅部に１対１に対応して伝達する複数のマイク；
前記各マイクのうち一部のマイクから伝達された前記音を複数の増幅率で増幅した音である複数の増幅音を選択部に伝達する増幅段；
前記増幅段から伝達された前記各増幅音を増幅音別に区分してメモリ部に格納しながら前記各増幅音のそれぞれの振幅を判断し、選択された増幅音に対する情報を制御信号に含めて制御部に伝達する選択部；
前記各マイクのうち他の一部のマイクから伝達された前記音を固定された増幅率で増幅した音である増幅音をＡＤＣ部に伝達する固定増幅部；
前記固定増幅部から伝達された前記増幅音をＡＤＣ制御信号を用いてメモリ部に格納するＡＤＣ部；
前記選択部から伝達された前記各増幅音及び前記ＡＤＣ部から伝達された前記増幅音を増幅音別に区分して格納する一つのメモリ部；及び
前記選択部から伝達された前記制御信号に含まれた前記情報に対応する前記増幅音及び前記ＡＤＣ部に対応する前記増幅音を前記メモリ部から探して制御する一つの制御部；を含み、
複数のマイクのうち一部のマイクで収集された音を複数の増幅率で複数の増幅音に増幅した後、増幅音別に区別して格納しながらそれぞれの増幅音の振幅を判断し、選択された増幅音に対する情報に対応する増幅音を制御しながら他の一部のマイクで収集された音を固定された増幅率で一つの増幅音に増幅し、格納した増幅音を制御することによって音を広い領域で損失なく収集することを特徴とする音の収集装置。
【請求項６】
ａ）複数のマイクのうち一部のマイクが収集した音は増幅段に伝達し、他の一部のマイクが収集した音は固定増幅部に伝達する段階；
ｂ）前記増幅段が前記音を複数の増幅率で増幅し、生成した音である各増幅音を選択部に伝達し、前記固定増幅部が固定された増幅率で増幅した一つの増幅音をＡＤＣ部に伝達する段階；
ｃ）前記選択部が前記各増幅音を増幅音別に区別して一つのメモリ部に格納しながら前記各増幅音のそれぞれの振幅を判断し、選択された増幅音に対する情報を制御信号に含めて制御部に伝達し、前記ＡＤＣ部が伝達された前記増幅音をＡＤＣ制御信号を用いて前記メモリ部に格納する段階；及び
ｄ）前記制御部が前記メモリ部から前記制御信号に含まれた前記情報に対応して前記増幅音を探し、前記ＡＤＣ部が格納した前記増幅音を探して制御する段階；を含み、
複数のマイクのうち一部のマイクで収集された音を複数の増幅率で複数の増幅音に増幅した後、増幅音別に区別して格納しながらそれぞれの増幅音の振幅を判断し、選択された増幅音の情報に対応する増幅音を制御しながら他の一部のマイクで収集された音を固定された増幅率で一つの増幅音に増幅し、格納した増幅音を制御することによって音を広い領域で損失なく収集することを特徴とする音の収集方法。
【発明の詳細な説明】
【技術分野】
【０００１】
本発明は、防犯や警戒などの分野で発生する不特定且つ予測及び統制が不可能であると共に、多様な特性を有し、広い領域で発生する全ての音をマイクを用いて損失なく収集する装置及び方法に関する。
【背景技術】
【０００２】
防犯や警戒などの分野では、音を検出しようとするとき、その音を規定及び調整することができなく、音の発生を予測及び統制することができなく、微細な音から非常に大きな音まで音の大きさの範囲が広い。また、同一の音源における音の大きさの高低差が大きくなり、このような音が瞬間的に発生し、複数の音が混合されている場合がある。また、音の発生地点を制限できないなどの特性を有する音を用いて監視領域の状況を判断しなければならないので、広い領域で発生する全ての音を瞬間的な損失なく収集する必要がある。
【０００３】
韓国登録特許１０−１３８４７８１は、防犯や警戒などの分野でマイクで音を収集しながらマイクの空間的な収集限界を克服し、監視領域を広げる手段として光繊維センサーを開示しているが、光繊維センサの場合、陰圧は感知できるが、音を収集することはできない。そのため、韓国登録特許１０−１３８４７８１の音を収集する手段は、マイクでない光繊維センサーを用いる手段を開示しているので、広い監視領域で発生する全ての音を瞬間的な損失なく収集する手段を提供することができない。
【０００４】
また、韓国登録特許１０−１５１９４３０は、マイクで収集された音のうち予め設定された方向で発生する音を選択し、この音をハウリング除去後に増幅してから直ぐスピーカーに出力する装置であって、韓国登録特許１０−１５１９４３０の音を選択する手段は、特定の方向で発生する特定の音を選択するので、広い領域で発生する全ての音を損失なく収集することができない。また、韓国登録特許１０−１５１９３４０の音を増幅する手段は、収集された音を複数の増幅率で増幅した後、増幅された音を区分してメモリに格納する手段と、複数の増幅率で増幅された各音のうち一つを選択する手段と、増幅された音が収集範囲を逸脱したかどうかを判断する手段などを開示していないので、広い領域で発生する全ての音を瞬間的な損失なく収集する手段を提供することができない。
【０００５】
また、韓国公開実用新案２０−２０１０−０００３９９２は、メモリに設定された特定の音源の周辺に設置されたマイクで収集した音を増幅した後、この増幅された音が、メモリに設定された音のレベルと比較したときに目的とする音であるかどうかを判断する装置であって、公開実用新案２０−２０１０−０００３９９２の音を収集する手段は、特定の音を収集するために特定の音源の周辺にマイクを位置させるので、広い領域で発生する全ての音を損失なく収集することができない。また、公開実用新案２０−２０１０−０００３９９２の音を増幅する手段は、収集された音を複数の増幅率で増幅した後、増幅された音を区分してメモリに格納する手段と、複数の増幅率で増幅された各音のうち一つを選択する手段と、増幅された音が収集範囲を逸脱したかどうかを判断する手段などを開示していないので、広い領域で発生する音を瞬間的な損失なく収集する手段を提供することができない。
【０００６】
また、韓国登録特許１０−１５４７７２９及び米国特許５６９６３５６は、音を収集する目的で導出されたが、広い領域で音を収集するための機構的な装置であるので、電子的な装置である本発明の手段とは根本的に異なる手段であって、電子装置による信号処理手段を含んでいない。
【０００７】
したがって、防犯及び警戒などの分野でマイクを用いて広い領域で発生する全ての音を瞬間的な損失なく収集する装置及び方法が必要である。
【発明の概要】
【発明が解決しようとする課題】
【０００８】
本発明の目的は、防犯や警戒などの分野で発生する不特定且つ予測及び統制が不可能であると共に、多様な特性を有し、広い領域で発生する全ての音をマイクを用いて損失なく収集する装置及び方法を提供することにある。
【課題を解決するための手段】
【０００９】
周辺で収集した音を増幅段に伝達する単数のマイクと、前記マイクから伝達された前記音を複数の増幅率で増幅し、生成された複数の音である各増幅音を選択部に伝達する増幅段と、前記増幅段から伝達された前記各増幅音を増幅音別に区分してメモリ部に格納しながら前記各増幅音のそれぞれの振幅を判断し、選択された一つの増幅音に対する情報を制御信号に含めて制御部に伝達する選択部と、前記選択部から伝達された前記各増幅音を増幅音別に区分して格納するメモリ部と、前記選択部から伝達された前記制御信号に含まれた前記情報に対応する前記増幅音を前記メモリ部から探して制御する制御部とを含む装置、そして、前記装置を用いて、単数のマイクが収集した音を増幅段に伝達する段階と、前記増幅段が前記音を複数の増幅率で増幅し、生成した複数の音である各増幅音を選択部に伝達する段階と、前記選択部が前記各増幅音を増幅音別に区別してメモリ部に格納しながら前記各増幅音のそれぞれの振幅を判断し、選択された一つの増幅音に対する情報を制御信号に含めて制御部に伝達する段階と、前記制御部が前記制御信号に含まれた前記情報に対応する前記増幅音を前記メモリ部から探して制御する段階とを含む方法で、単数のマイクで収集された一つの音を複数の増幅率で複数の音である各増幅音に増幅した後、増幅音別に区別して格納しながら各増幅音のそれぞれの振幅を判断し、選択された一つの増幅音の情報に対応する増幅音を制御することによって音を広い領域で損失なく収集することを達成する。
【００１０】
また、周辺で収集した音を複数の増幅段に１対１に対応して伝達する複数のマイクと、前記各マイクから１対１に対応して伝達された前記音をそれぞれ複数の増幅率で増幅し、生成した複数の音である各増幅音を１対１に対応する複数の選択部に伝達する複数の増幅段と、前記各増幅段から１対１に対応して伝達された前記各増幅音を増幅音別に区分してメモリ部に格納しながら前記各増幅音のそれぞれの振幅を判断し、前記各マイクの数だけ選択された複数の増幅音に対する各情報を１対１に対応する複数の制御信号に含めて制御部に伝達する複数の選択部と、前記各選択部から伝達された前記各増幅音を前記増幅音別に区分して格納する一つのメモリ部と、前記各選択部から伝達された前記各制御信号に含まれた前記各情報に１対１に対応する前記各増幅音を前記メモリ部から探して制御する一つの制御部とを含む装置、そして、複数のマイクが収集したそれぞれの音を１対１に対応する複数の増幅段に伝達する段階と、前記各増幅段が１対１に伝達されたそれぞれの前記音をそれぞれの複数の増幅率で増幅し、生成した音であるそれぞれの複数の増幅音を１対１に対応する複数の選択部に伝達する段階と、前記各選択部がそれぞれの前記各増幅音を増幅音別に区分して一つのメモリ部に格納しながらそれぞれの前記各増幅音の各振幅を判断し、選択されたそれぞれの増幅音の情報を１対１に対応するそれぞれの制御信号に含めて一つの制御部に伝達する段階と、前記制御部が前記メモリ部から前記各制御信号が含んでいる前記情報に対応するそれぞれの前記増幅音を探して制御する段階とを含む方法で、複数のマイクで収集されたそれぞれの音を複数の増幅率で複数の増幅音に増幅した後、全ての増幅音を増幅音別に区別して格納しながらそれぞれの増幅音の振幅を判断し、選択されたそれぞれの増幅音に対する情報に対応する増幅音を制御することによって音を広い領域で損失なく収集することを達成する。
【００１１】
また、周辺で収集した音を増幅段及び固定増幅部に１対１に対応して伝達する複数のマイクと、前記各マイクのうち一部のマイクから伝達された前記音を複数の増幅率で増幅した音である複数の増幅音を選択部に伝達する増幅段と、前記増幅段から伝達された前記各増幅音を増幅音別に区分してメモリ部に格納しながら前記各増幅音のそれぞれの振幅を判断し、選択された増幅音に対する情報を制御信号に含めて制御部に伝達する選択部と、前記各マイクのうち他の一部のマイクから伝達された前記音を固定された増幅率で増幅した音である増幅音をＡＤＣ部に伝達する固定増幅部と、前記固定増幅部から伝達された前記増幅音をＡＤＣ制御信号を用いてメモリ部に格納するＡＤＣ部と、前記選択部から伝達された前記各増幅音及び前記ＡＤＣ部から伝達された前記増幅音を増幅音別に区分して格納する一つのメモリ部と、前記選択部から伝達された前記制御信号に含まれた前記情報に対応する前記増幅音及び前記ＡＤＣ部に対応する前記増幅音を前記メモリ部から探して制御する一つの制御部とを含む装置、そして、複数のマイクのうち一部のマイクが収集した音は増幅段に伝達し、他の一部のマイクが収集した音は固定増幅部に伝達する段階と、前記増幅段が前記音を複数の増幅率で増幅し、生成した音である各増幅音を選択部に伝達し、前記固定増幅部が固定された増幅率で増幅した一つの増幅音をＡＤＣ部に伝達する段階と、前記選択部が前記各増幅音を増幅音別に区別して一つのメモリ部に格納しながら前記各増幅音のそれぞれの振幅を判断し、選択された増幅音に対する情報を制御信号に含めて制御部に伝達し、前記ＡＤＣ部が伝達された前記増幅音をＡＤＣ制御信号を用いて前記メモリ部に格納する段階と、前記制御部が前記メモリ部から前記制御信号に含まれた前記情報に対応して前記増幅音を探し、前記ＡＤＣ部が格納した前記増幅音を探して制御する段階とを含む方法で、複数のマイクのうち一部のマイクで収集された音を複数の増幅率で複数の増幅音に増幅した後、増幅音別に区別して格納しながらそれぞれの増幅音の振幅を判断し、選択された増幅音の情報に対応する増幅音を制御しながら他の一部のマイクで収集された音を固定された増幅率で一つの増幅音に増幅し、格納した増幅音を制御することによって音を広い領域で損失なく収集することを達成する。
【発明の効果】
【００１２】
マイクのみを用いて、より広い領域で発生する不特定且つ予測及び統制できないと共に、多様な特性を有する全ての音を損失なく収集することができる。
【図面の簡単な説明】
【００１３】
【図１】本発明の実施の例として単数のマイクで音を収集する装置の構成図である。
【図２】本発明の実施の例として複数のマイクで音を収集する装置の構成図である。
【図３】本発明の実施の例として複数のマイクで音を収集する装置の他の構成図である。
【図４】本発明の実施の例である図１のフローチャートである。
【図５】本発明の実施の例である図２のフローチャートである。
【図６】本発明の実施の例である図３のフローチャートである。
【図７】本発明に係る複数の増幅率で増幅された各増幅音の各波形を示す図である。
【図８】本発明に係る複数の増幅率で増幅された各増幅音を時間の区間別に区分して示した図である。
【発明を実施するための形態】
【００１４】
周辺で収集した音を増幅段に伝達する単数のマイクと、前記マイクから伝達された前記音を複数の増幅率で増幅し、生成された複数の音である各増幅音を選択部に伝達する増幅段と、前記増幅段から伝達された前記各増幅音を増幅音別に区分してメモリ部に格納しながら前記各増幅音のそれぞれの振幅を判断し、選択された一つの増幅音に対する情報を制御信号に含めて制御部に伝達する選択部と、前記選択部から伝達された前記各増幅音を増幅音別に区分して格納するメモリ部と、前記選択部から伝達された前記制御信号に含まれた前記情報に対応する前記増幅音を前記メモリ部から探して制御する制御部とを含む装置、そして、前記装置を用いて、単数のマイクが収集した音を増幅段に伝達する段階と、前記増幅段が前記音を複数の増幅率で増幅し、生成した複数の音である各増幅音を選択部に伝達する段階と、前記選択部が前記各増幅音を増幅音別に区別してメモリ部に格納しながら前記各増幅音のそれぞれの振幅を判断し、選択された一つの増幅音に対する情報を制御信号に含めて制御部に伝達する段階と、前記制御部が前記制御信号に含まれた前記情報に対応する前記増幅音を前記メモリ部から探して制御する段階とを含む方法で、単数のマイクで収集された一つの音を複数の増幅率で複数の音である各増幅音に増幅した後、増幅音別に区別して格納しながら各増幅音のそれぞれの振幅を判断し、選択された一つの増幅音の情報に対応する増幅音を制御することによって音を広い領域で損失なく収集することを達成する。
【００１５】
また、周辺で収集した音を複数の増幅段に１対１に対応して伝達する複数のマイクと、前記各マイクから１対１に対応して伝達された前記音をそれぞれ複数の増幅率で増幅し、生成した複数の音である各増幅音を１対１に対応する複数の選択部に伝達する複数の増幅段と、前記各増幅段から１対１に対応して伝達された前記各増幅音を増幅音別に区分してメモリ部に格納しながら前記各増幅音のそれぞれの振幅を判断し、前記各マイクの数だけ選択された複数の増幅音に対する各情報を１対１に対応する複数の制御信号に含めて制御部に伝達する複数の選択部と、前記各選択部から伝達された前記各増幅音を前記増幅音別に区分して格納する一つのメモリ部と、前記各選択部から伝達された前記各制御信号に含まれた前記各情報に１対１に対応する前記各増幅音を前記メモリ部から探して制御する一つの制御部とを含む装置、そして、複数のマイクが収集したそれぞれの音を１対１に対応する複数の増幅段に伝達する段階と、前記各増幅段が１対１に伝達されたそれぞれの前記音をそれぞれの複数の増幅率で増幅し、生成した音であるそれぞれの複数の増幅音を１対１に対応する複数の選択部に伝達する段階と、前記各選択部がそれぞれの前記各増幅音を増幅音別に区分して一つのメモリ部に格納しながらそれぞれの前記各増幅音の各振幅を判断し、選択されたそれぞれの増幅音の情報を１対１に対応するそれぞれの制御信号に含めて一つの制御部に伝達する段階と、前記制御部が前記メモリ部から前記各制御信号が含んでいる前記情報に対応するそれぞれの前記増幅音を探して制御する段階とを含む方法で、複数のマイクで収集されたそれぞれの音を複数の増幅率で複数の増幅音に増幅した後、全ての増幅音を増幅音別に区別して格納しながらそれぞれの増幅音の振幅を判断し、選択されたそれぞれの増幅音に対する情報に対応する増幅音を制御することによって音を広い領域で損失なく収集することを達成する。
【００１６】
また、周辺で収集した音を増幅段及び固定増幅部に１対１に対応して伝達する複数のマイクと、前記各マイクのうち一部のマイクから伝達された前記音を複数の増幅率で増幅した音である複数の増幅音を選択部に伝達する増幅段と、前記増幅段から伝達された前記各増幅音を増幅音別に区分してメモリ部に格納しながら前記各増幅音のそれぞれの振幅を判断し、選択された増幅音に対する情報を制御信号に含めて制御部に伝達する選択部と、前記各マイクのうち他の一部のマイクから伝達された前記音を固定された増幅率で増幅した音である増幅音をＡＤＣ部に伝達する固定増幅部と、前記固定増幅部から伝達された前記増幅音をＡＤＣ制御信号を用いてメモリ部に格納するＡＤＣ部と、前記選択部から伝達された前記各増幅音及び前記ＡＤＣ部から伝達された前記増幅音を増幅音別に区分して格納する一つのメモリ部と、前記選択部から伝達された前記制御信号に含まれた前記情報に対応する前記増幅音及び前記ＡＤＣ部に対応する前記増幅音を前記メモリ部から探して制御する一つの制御部とを含む装置、そして、複数のマイクのうち一部のマイクが収集した音は増幅段に伝達し、他の一部のマイクが収集した音は固定増幅部に伝達する段階と、前記増幅段が前記音を複数の増幅率で増幅し、生成した音である各増幅音を選択部に伝達し、前記固定増幅部が固定された増幅率で増幅した一つの増幅音をＡＤＣ部に伝達する段階と、前記選択部が前記各増幅音を増幅音別に区別して一つのメモリ部に格納しながら前記各増幅音のそれぞれの振幅を判断し、選択された増幅音に対する情報を制御信号に含めて制御部に伝達し、前記ＡＤＣ部が伝達された前記増幅音をＡＤＣ制御信号を用いて前記メモリ部に格納する段階と、前記制御部が前記メモリ部から前記制御信号に含まれた前記情報に対応して前記増幅音を探し、前記ＡＤＣ部が格納した前記増幅音を探して制御する段階とを含む方法で、複数のマイクのうち一部のマイクで収集された音を複数の増幅率で複数の増幅音に増幅した後、増幅音別に区別して格納しながらそれぞれの増幅音の振幅を判断し、選択された増幅音の情報に対応する増幅音を制御しながら他の一部のマイクで収集された音を固定された増幅率で一つの増幅音に増幅し、格納した増幅音を制御することによって音を広い領域で損失なく収集することを達成する。
【００１７】
以下、添付の図面を参照して本発明の好適な実施例を詳細に説明するにおいて、本明細書及び特許請求の範囲に使用された用語は、通常的又は辞典的な意味に限定して解釈してはならなく、本発明の技術的事項に符合する意味及び概念で解釈しなければならない。
【００１８】
本明細書に記載した実施例及び図面に示した構成は、本発明の好適な実施例であって、本発明の技術的思想を全て代弁するものではないので、本出願時点でこれらに取って代わる多様な均等物及び変形例があり得る。
【００１９】
図１は、本発明の実施の例として単数のマイクを用いて広い範囲で発生する全ての音を損失なく収集する装置の構成図で、図４は、図１のフローチャートである。
【００２０】
図１及び図４において、マイク１１０は、広い領域で発生する全ての音を収集した収集音を増幅段１２０に伝達し（Ｓ７０１）、増幅段１２０は、収集音を複数の増幅率で増幅し、生成した複数の増幅音を選択部１３０に伝達し（Ｓ７０２）、選択部１３０は、制御信号を介して制御部と通信し、複数の増幅音をメモリ部１４０に増幅音別に区分して格納しながら複数の増幅音の振幅を判断し、選択された増幅音の情報を制御信号に含めて制御部１５０に伝達し（Ｓ７０３）、制御部１５０は、制御信号に対応する増幅音をメモリ部１４０から探して制御し（Ｓ７０４）、広い領域で発生する全ての音を損失なく収集する装置及び方法を提供する。
【００２１】
マイクは、周辺から音を収集し、この収集された音を電気的な信号に変換する装置である。
【００２２】
収集音は、防犯や警戒などの状況で発生する音であって、このような音は、特徴を規定及び調整することができなく、発生を制御及び統制することができなく、不特定且つ非常に多様な特性を有する。また、瞬間的な音も非常に重要であるので、可能な限り広い範囲で全ての音を損失なく収集しなければならない。
【００２３】
増幅段は、増幅率が異なる複数の増幅器で構成されており、マイクから伝達された収集音を増幅器のそれぞれの増幅率で増幅し、生成した複数の増幅音を選択部に伝達する。このような増幅段は、収集音を増幅段内の複数の増幅器に伝達するためにバッファ部を含むことができ、特定の周波数帯域のみを増幅するためにＬＰＦ（Ｌｏｗ  Ｐａｓｓ  Ｆｉｌｔｅｒ）部やＢＰＦ（Ｂａｎｄ  Ｐａｓｓ  Ｆｉｌｔｅｒ）部を含むことができ、増幅率を増幅しないか減衰することを含むことができる。
【００２４】
複数の増幅音は、増幅率が異なる複数の増幅器のそれぞれの増幅率で収集音を増幅することによって生成された複数の増幅された各音の束である。
【００２５】
選択部は、制御信号を介して制御部と通信し、複数の増幅音を増幅音別に区別してメモリ部に格納しながら複数の増幅音の振幅を判断し、増幅音を選択する。このとき、増幅音の時刻を確認できるように格納したり、選択された増幅音のＩＤ及び時間情報を制御信号に含めて制御部に伝達することができ、選択部は、複数の増幅音を持続的に判断し、増幅音を新たに選択したり又はデジタル形態に格納するためにＬＰＦ部、ＢＰＦ部及びＡＤＣ（Ａｎａｌｏｇ  ｔｏ  Ｄｉｇｉｔａｌ  Ｃｏｎｖｅｒｓｉｏｎ）部を含むことができる。
【００２６】
制御信号は、制御部と選択部との通信によって複数の増幅音をメモリ部に格納するときに使用される信号、及び選択された増幅音のＩＤ及び時間情報などを含む信号である。また、時間情報は、増幅音の時刻に対する情報であって、複数の増幅音をメモリ部に格納するときに増幅音の格納位置及び時間情報を確認できるようにする。そのため、制御信号は、増幅音が新たに選択されたとしても音を損失なく制御するときに使用される。
【００２７】
メモリ部は、選択部及び制御部との通信によって複数の増幅音を増幅音別に区別して格納するが、このとき、時間情報を含めて格納することができる。
【００２８】
制御部は、制御信号の伝送によって選択部を制御しながら、選択部が選択した増幅音に対する情報（ＩＤ及び時間情報など）を含んでいる制御信号に対応する増幅音をメモリ部から探して制御する。
【００２９】
図２は、本発明の実施の例として複数のマイクを用いて広い領域で発生する全ての音を損失なく収集する装置の構成図で、図５は、図２のフローチャートである。
【００３０】
図２及び図５において、複数のマイク２１０、２５０は、広い領域で発生する全ての音である各収集音を各増幅段２２０、２６０に伝達し（Ｓ８０１）、各増幅段２２０、２６０は、各収集音を複数の増幅率で増幅し、生成した複数の増幅音を各選択部２３０、２７０に伝達し（Ｓ８０２）、各選択部２３０、２７０は、各制御信号を用いて複数の増幅音をメモリ部２４０に増幅音別に区分して格納しながら複数の増幅音の振幅を判断し、選択された各増幅音の情報を各制御信号に含めて制御部２８０に伝達し（Ｓ８０３）、制御部２８０は、各制御信号に対応する各増幅音をメモリ部２４０から探して制御するが（Ｓ８０４）、図２の概念は、マイクが３個以上である場合にも適用が可能である。
【００３１】
図３は、本発明の実施の例として、複数のマイクのうち一部のマイクの音は、複数の増幅器がある経路を介して収集され、他の一部のマイクの音は、単数の増幅器がある経路を介して収集されることによって広い領域で発生する全ての音を損失なく収集する装置の構成図で、図６は、図３のフローチャートである。
【００３２】
図３及び図６において、マイク１  ６１０及びマイク２  ６５０で音を収集し、マイク１  ６１０は、収集音１を増幅段１  ６２０に伝達し（ＳＣ０１）、増幅段１  ６２０は、収集音１を複数の増幅率で増幅し、生成した複数の増幅音１を選択部１  ６３０に伝達し（ＳＣ０２）、選択部１  ６３０は、複数の増幅音１を制御信号１を用いて増幅音別に区分してメモリ部６４０に格納しながら複数の増幅音１の各振幅を判断し、選択した増幅音１の情報を含む制御信号１を制御部６８０に伝達し（ＳＣ０３）、制御部は、制御信号１に対応する増幅音をメモリ部から探して制御する（ＳＣ０６）と同時に、マイク２  ６５０は、収集音２を固定増幅部６６０に伝達し（ＳＣ０１）、固定増幅部６６０は、収集音２を固定された増幅率で増幅し、生成された増幅音２をＡＤＣ部６７０に伝達し（ＳＣ０４）、ＡＤＣ部６７０は、ＡＤＣ制御信号を用いて増幅音２をメモリ部６４０に格納し（ＳＣ０５）、制御部６８０は、制御信号１に対応する増幅音１及びＡＤＣ制御信号に対応する増幅音２をメモリ部６４０から探して制御する（ＳＣ０６）。
【００３３】
固定増幅部６６０は、収集音を単数の増幅器を用いて固定された増幅率で増幅するが、増幅率を増幅しないか減衰することもできる。
【００３４】
ＡＤＣ部６７０は、アナログの増幅音をデジタルに変換してメモリ部に格納するが、本発明の選択部で振幅を判断する動作はしない。
【００３５】
ＡＤＣ制御信号は、制御部がＡＤＣ部６７０によってアナログ音をデジタル音に変換してメモリに格納するように制御する信号である。
【００３６】
図３では、マイクが３個以上である場合にも同一の概念で適用が可能である。
【００３７】
図７は、本発明の一実施例に係る増幅音の波形及び収集範囲を示す概念図である。音Ａ、音Ｂ及び音Ｃは、同一の収集音を増幅段によって異なる増幅率で増幅した増幅音であって、音Ａ  １３２０は、増幅しない場合の波形であって、収集範囲１３４０を逸脱した部分はないが、音の弁別力が低下する例である。また、音Ｂ  １３１０は、増幅率が適当な場合の波形であって、音の弁別力があり、収集範囲を逸脱した部分がない例である。また、音Ｃ  １３００は、増幅率が大きい場合の波形であって、音の弁別力は高いが、収集範囲を逸脱した部分１３３０がある例である。
【００３８】
音Ａ、音Ｂ及び音Ｃの音源における音は、その大きさを規定できないか、多様な音源による音の大きさの範囲が非常に広いか、同一の音源の高低差が大きいか、瞬間的に発生してから消えるか、複数の音が混合され得るので、増幅率を一つにすると、音源が大きい音の場合は収集範囲を逸脱して音の損失が発生し、音源が小さい音の場合は収集が不可能になり得るが、音の弁別力を高めながらこのような問題を解消する方法は、同時に異なる増幅率で増幅し、この増幅された音を収集、格納及び制御することによって達成することができる。
【００３９】
図８は、本発明の一実施例に係る同一の音源における音の高低差が大きいことから収集範囲を逸脱する損失が発生するとき、これを解消する概念図であって、同一の音源から収集された収集音が、増幅段によって大きく増幅された増幅音Ｄ  １４００及び中間程度に増幅された増幅音Ｅ  １４１０に増幅され、増幅音別にメモリ部に格納される。また、選択部が区間１で選択された増幅音Ｄの情報を含む制御信号を介して制御部と通信すると、制御部は、メモリ部から増幅音Ｄを探して制御し、選択部が区間２で新たに選択された増幅音Ｅの情報を含む制御信号を介して制御部と通信すると、制御部は、メモリ部から増幅音Ｅを探して制御し、選択部が区間３で再び選択された増幅音Ｄの情報を含む制御信号を介して制御部と通信すると、制御部は、メモリ部から増幅音Ｅを探して制御し、音を損失なく収集して制御する。
【００４０】
本発明では、区間を分けて選択しなければならない場合、音を損失なく連結するために時間情報を使用するが、このとき、時間情報をメモリ部の住所と関連付けながら規則を定めると、制御部が音を損失なく制御することができ、これに対しては下記の表１に一実施例を示した。
【００４１】
【表１】
2020517204.tif 000003
【００４２】
表１は、本発明の一実施例に係るメモリ部の住所と時間情報とを関連付けながら音を格納する方法の概念図であって、音の周波数帯域を２０ＫＨｚまでに定め、サンプリング周波数を４０ＫＨｚとし、量子化レベルを１６ビットとした場合、１秒当たりに生成されるデータの量は８０，０００バイトで、５分間生成されるデータの量は２４，０００，０００バイトであることを考慮した上で、メモリ部で音Ｄ  １４００の住所を「ＡＤＤＲ＝１」から「ＡＤＤＲ＝２４Ｍ」まで割り当て、音Ｅ  １４１０の住所は、「ＡＤＤＲ＝２４Ｍ＋１」から「ＡＤＤＲ＝４８Ｍ」まで割り当てる。そのため、時刻ｔ＝１において、音Ｄは「ＡＤＤＲ＝１」に、音Ｅは「ＡＤＤＲ＝２４Ｍ＋１」に同時に格納され、時間の経過と共に住所も順次増加し、音Ｄと音Ｅの住所の差（ｏｆｆ−ｓｅｔ）が一定に維持されると同時に格納される。このようなメカニズムは、複数のマイクを用いて音を収集する装置及び方法にも適用が可能である。
【００４３】
図８及び表１において、ｔ＝ｎは、増幅音Ｄが収集範囲を逸脱しはじめる時点であって、ｔ＝（ｎ＋ｍ）は、増幅音Ｄが収集範囲を逸脱した最後の時点である。選択部が、ｔ＝ｎで新たに選択された増幅音Ｅの情報及び時間情報であるｔ＝ｎを含む制御信号を制御部に伝達すると、制御部は、ｔ＝ｎから増幅音Ｅの「ＡＤＤＲ＝（２４Ｍ＋ｎ）」に該当する音を探して制御しはじめ、選択部が、ｔ＝ｎ＋ｍ＋１で再び選択された増幅音Ｄの情報及び時間情報であるｔ＝ｎ＋ｍ＋１を含む制御信号を制御部に伝達すると、制御部は、ｔ＝ｎ＋ｍ＋１から増幅音Ｄの「ＡＤＤＲ＝（ｎ＋ｍ＋１）」に該当する音を探して制御する。
【００４４】
図８に示したように、選択部が選択した増幅音の振幅がいずれかの時点で収集範囲を逸脱すると、直ぐ他の増幅音を選択した後、メモリ部から新たに選択された増幅音を探し、逸脱した時点からでなく最初の時点から制御することもできる。
【００４５】
前記のような方法で、区間１では増幅音Ｄを制御し、区間２では増幅音Ｅを制御し、区間３では増幅音Ｄを制御することによって音を損失なく収集して制御する。
【産業上の利用可能性】
【００４６】
本発明は、防犯や警戒などの分野で発生する不特定且つ多様な音を広い領域で損失なくマイクを用いて収集する装置及び方法に関するものであって、音を単数のマイクで収集する装置及び方法、そして、音を複数のマイクで収集する装置及び方法に対する手段を提供する。
【図１】
2020517204.tif 000004
【図２】
2020517204.tif 000005
【図３】
2020517204.tif 000006
【図４】
2020517204.tif 000007
【図５】
2020517204.tif 000008
【図６】
2020517204.tif 000009
【図７】
2020517204.tif 000010
【図８】
2020517204.tif 000011
【国際調査報告】
2020517204.tif 000012
2020517204.tif 000013
2020517204.tif 000014
2020517204.tif 000015